【手続補正書】
【提出日】平成21年10月14日(2009.10.14)
【手続補正１】
【補正対象書類名】明細書
【補正対象項目名】特許請求の範囲
【補正方法】変更
【補正の内容】
【特許請求の範囲】
【請求項１】
仕事を依頼したい依頼希望者と、仕事を受けたい受注希望者とについて、インターネット等の広域ネットワーク上のサーバを通じての出会いを可能ならしめるサ−ビスの提供方法であって、
前記サーバが、前記依頼希望者の端末と前記受注希望者の端末とに対して、当該端末の操作により書き込み可能な掲示板を前記広域ネットワーク上に作成し、前記依頼希望者の匿名状態と前記受注希望者の匿名状態とを維持したまま、前記掲示板のデータを不特定多数の端末から閲覧可能な状態に設定し、前記端末に対して送信可能とする第１の段階と、
前記依頼希望者の端末からの秘密状態への移行要求に応じて、前記不特定多数の端末で閲覧可能な状態から、当該移行要求をした依頼希望者の端末及び前記受注希望者の中の特定の者の端末からのみ閲覧可能となるように設定する第２の段階と、を含むインターネット等の広域ネットワークを用いた出会いサービスの提供方法。
【請求項２】
仕事依頼したい依頼希望者と、仕事を受けたい受注希望者とに対して、インターネット等の広域ネットワーク上のサーバを通じて、当該依頼希望者と当該受注希望者との出会いを可能ならしめるサ−ビスの提供を行うためのサーバであって、
前記サーバが、前記依頼希望者の端末と前記受注希望者の端末とに対して、当該端末の操作により書き込み可能な掲示板を前記広域ネットワーク上に作成し、前記依頼希望者と前記受注希望者との匿名状態を維持したまま、前記掲示板のデータを不特定多数の端末から閲覧可能な状態に設定し、前記端末に対して送信をする送信能と、
前記依頼希望者の端末からの秘密状態への移行要求に応じて、前記不特定多数の端末で閲覧可能な状態から、当該移行要求をした依頼希望者の端末及び前記受注希望者の中の特定の者の端末からのみ閲覧可能となるように設定をする制御能と、
を少なくとも備えてなるインターネット等の広域ネットワーク上のサーバ。
【請求項３】
仕事を依頼したい依頼希望者と、仕事を受けたい受注希望者とに対して、インターネット等の広域ネットワーク上のサーバを通じての出会いを可能ならしめるサ−ビスの提供方法を実行するためのプログラムであって、
前記依頼希望者の端末と前記受注希望者の端末とに対して、当該端末の操作により書き込み可能な掲示板を前記広域ネットワーク上に作成し、前記依頼希望者と前記受注希望者との匿名状態を維持したまま、前記掲示板のデータを不特定多数の端末から閲覧可能な状態に設定し、前記端末に対して送信可能とする第１の段階と、
前記依頼希望者の端末からの秘密状態への移行要求に応じて、前記不特定多数の端末で閲覧可能な状態から、当該移行要求をした依頼希望者の端末及び前記受注希望者の中の特定の者の端末からのみ閲覧可能となるように設定をする第２の段階と、
からなるインターネット等の広域ネットワークを用いた出会いサービスの提供方法を前記サーバに実行させるプログラム。
【請求項４】
インターネット等の広域ネットワークを通じて予めサーバ内に登録された複数の専門家と、登録されていない不特定多数の人との端末間で、当該端末の操作により書き込み可能な掲示板であって前記サーバを使用して前記広域ネットワーク上に作成された掲示板を介してデータ交換を行うサービスの提供方法であって、
前記サーバが、前記不特定多数の人の端末からの相談情報を前記掲示板上に書き込むことを匿名状態で受け付ける段階と、
当該掲示板上に書き込まれた相談情報を、前記予め登録された専門家の端末に対して送信可能又は閲覧可能にする段階と、
を含み、更に、前記サーバが、前記不特定多数の人の端末からの相談情報のうちで特定のもの並びに前記専門家の回答情報のうちで特定のものについては、前記不特定多数の人の中の特定人及び前記専門家の中の特定人の端末にのみ閲覧可能でそれ以外の前記不特定多数の人及びそれ以外の前記専門家の端末に対しては閲覧不能した状態で送信又は閲覧可能にする段階と、を含む、インターネット等の広域ネットワークを用いた専門家との出会いサービスの提供方法。
【請求項５】
仕事を依頼したい依頼希望者と、仕事を受けたい受注希望者とについて、インターネット等の広域ネットワーク上のサーバを通じての出会いを可能ならしめるサ−ビスの提供方法であって、
前記サーバが、前記サーバに接続された前記依頼希望者の端末と前記受注希望者の端末とに対して、当該端末の操作により書き込み可能な掲示板データを前記広域ネットワーク上に作成し、当該広域ネットワーク上に作成された当該掲示板における前記依頼希望者と前記受注希望者との会話を通じて当該依頼希望者と当該受注希望者との間のマッチングを図り、当該マッチングの結果が所定の表示装置で表示されるかもしくは所定の記憶媒体に記憶されるサ−ビスの提供方法。
【請求項６】
インターネット等の広域ネットワークを通じて予めサーバ内に登録された複数の専門家と、登録されている特定多数の人との端末間で、当該端末の操作により書き込み可能な掲示板であって前記サーバを使用して前記広域ネットワーク上に作成された掲示板を介してデータ交換を行うサービスの提供方法であって、
前記サーバが、前記特定多数の人の端末からの相談情報を前記掲示板上に書き込むことを匿名状態で受け付ける段階と、
当該掲示板上に書き込まれた相談情報を、前記予め登録された専門家の端末に送信可能又は閲覧可能にする段階と、
を含み、更に、
前記サーバが、前記特定多数の人の端末からの相談情報のうちで特定のもの並びに前記専門家の回答情報のうちで特定のものについては、前記特定多数の人の中の特定人及び前記専門家の中の特定人の端末にのみ閲覧可能でそれ以外の前記特定多数の人及びそれ以外の前記専門家の端末に対しては閲覧不能した状態で送信又は閲覧可能にする段階と、を含む、インターネット等の広域ネットワークを用いた専門家との出会いサービスの提供方法。
【請求項７】
仕事を依頼したい依頼希望者と、仕事を受けたい受注希望者とについて、インターネット等の広域ネットワーク上のサーバを通じての出会いを可能ならしめるサ−ビスの提供方法であって、
前記サーバが、前記依頼希望者の端末と前記受注希望者の端末とに対して、当該端末の操作により書き込み可能な掲示板を前記広域ネットワーク上に作成し、前記依頼希望者の匿名状態と前記受注希望者の匿名状態とを維持したまま、前記掲示板のデータを不特定多数の端末から閲覧可能な状態に設定し、前記端末に対して送信可能とする第１の段階と、
前記依頼希望者の匿名状態を解除して前記依頼希望者の選定した前記受注希望者の端末に前記依頼希望者の個人情報を送信することが可能な状態に移行する第２の段階と、を含むインターネット等の広域ネットワークを用いた出会いサービスの提供方法。
【請求項８】
インターネット等の広域ネットワークを通じて予めサーバ内に登録された複数の専門家と、登録されていない不特定多数の人との端末間で、当該端末の操作により書き込み可能な掲示板であって前記サーバを使用して前記広域ネットワーク上に作成された掲示板を介してデータ交換を行うサービスの提供方法であって、
前記サーバが、前記不特定多数の人の端末からの相談情報を前記掲示板上に書き込むことを受け付ける段階と、
当該掲示板上に書き込まれた相談情報を、送信可能又は閲覧可能にする段階と、
を含み、更に、前記サーバが、前記専門家の回答情報に応じて、前記不特定多数の人の中の特定人が当該専門家に個人情報を送信することが可能な状態にする段階と、を含むインターネット等の広域ネットワークを用いた専門家との出会いサービスの提供方法。
【請求項９】
インターネット等の広域ネットワークを通じて予めサーバ内に登録された複数の専門家と、登録されていない不特定多数の人との端末間で、当該端末の操作により書き込み可能な掲示板であって前記サーバを使用して前記広域ネットワーク上に作成された掲示板を介してデータ交換を行うサービスの提供方法であって、
前記サーバが、前記不特定多数の人の端末からの相談情報を前記掲示板上に書き込むことを受け付ける段階と、
当該掲示板上に書き込まれた相談情報を、前記予め登録された専門家の端末に対して送信可能又は閲覧可能にする段階と、
を含み、更に、前記サーバが、前記不特定多数の人の端末からの相談情報のうちで特定のもの並びに前記専門家の回答情報のうちで特定のものについては、前記不特定多数の人の中の特定人及び前記専門家の中の特定人の端末にのみ閲覧可能でそれ以外の前記不特定多数の人及びそれ以外の前記専門家の端末に対しては閲覧不能した状態で送信又は閲覧可能にする段階と、を含む、インターネット等の広域ネットワークを用いた専門家との出会いサービスの提供方法。
【請求項１０】
インターネット等の広域ネットワークを通じて予めサーバ内に登録された複数の専門家と、登録されていない不特定多数の人との端末間で、当該端末の操作により書き込み可能な掲示板であって前記サーバを使用して前記広域ネットワーク上に作成された掲示板を介してデータ交換を行うサービスの提供方法であって、
前記サーバが、前記不特定多数の人の端末からの相談情報を前記掲示板上に書き込むことを受け付ける段階と、
当該掲示板上に書き込まれた相談情報を、前記予め登録された専門家の端末に対して送信可能又は閲覧可能にする段階と、
を含み、更に、前記サーバが、前記専門家の端末からの回答情報に応じて、前記不特定多数の人の中の特定人が当該専門家を選択可能な状態にする段階と、を含むインターネット等の広域ネットワークを用いた専門家との出会いサービスの提供方法。